(57)【特許請求の範囲】
【請求項１】
男性用の下着の前部の内面に取り付けて残尿を吸収するためのシート本体を備えるシートにおいて、
前記シート本体の横軸方向に沿って前記シート本体を折曲させるための第一の折曲案内部が前記シート本体に設けられていることを特徴とする、シート。
【請求項２】
前記第一の折曲案内部が、前記シート本体の両側部にそれぞれ設けられたくびれ部又はスリットであることを特徴とする、請求項１に記載のシート。
【請求項３】
前記第一の折曲案内部が、横軸方向に沿ってのびる溝部であることを特徴とする、請求項１に記載のシート。
【請求項４】
前記第一の折曲案内部が、弱化構造を備えることを特徴とする、請求項１に記載のシート。
【請求項５】
縦軸方向に沿って前記シート本体を折曲させるための第二の折曲案内部が前記シート本体に設けられていることを特徴とする、請求項１乃至４の何れか１項に記載のシート。
【請求項６】
前記シート本体が、透液性の表面シートと吸収性の吸収シートと不透液性の裏面シートとが順に積層されてなることを特徴とする、請求項１乃至５の何れか１項に記載のシート。
【発明の詳細な説明】
【技術分野】
【０００１】
本発明は、使用時にパンツの前部の内面に取り付けて小用後等の残尿の吸収に使用するためのシートに関する。
【背景技術】
【０００２】
従来から病気や加齢によって生ずる失禁や尿漏れを対象にしたパンツやオムツあるいは、局所的に使用する失禁パッド等が数多く開発されて使用されている。  
また、比較的軽い尿漏れを対象にしたものとして、下記の特許文献１に開示されている男性用軽失禁パッドがある。
【先行技術文献】
【特許文献】
【０００３】
【特許文献１】特開２００３−５２７２９号公報
【発明の概要】
【発明が解決しようとする課題】
【０００４】
しかしながら、上記特許文献１に開示されている男性用軽失禁パッドは、病気や加齢によって生ずる尿漏れを対象にしているため、漏れた尿を確実に捕捉することや廃棄時の処理に重きが置かれており、パンツを履いた状態で装着することになる実際の使い勝手や装着性については多くの改善の余地が残されている。  
また、健康な男性や若年層の男性でも日常行っている小用時にパンツに残尿が付着して、付着した部分が黄ばんだり、ズボンへ残尿が染み出し恥ずかしい思いをすることを多くの人が経験している。しかし、このような少量の残尿を対象にした男性用の残尿を吸収するためのシートは未だ市場に登場していない。
【課題を解決するための手段】
【０００５】
上記課題を解決するための本発明に係る男性用の下着の前部の内面に取り付けて残尿を吸収するためのシート本体を備えるシートの一の実施例は、前記シート本体の横軸方向に沿って前記シート本体を折曲させるための第一の折曲案内部が前記シート本体に設けられていることを特徴とする。
【０００６】
好ましくは、前記第一の折曲案内部が、前記シート本体の両側部にそれぞれ設けられたくびれ部である。
また好ましくは、前記第一の折曲案内部が、横軸方向に沿って延びる溝部である。
【０００７】
また好ましくは、前記第一の折曲案内部が、弱化構造を備える。
また好ましくは、縦軸方向に沿って前記シート本体を折曲させるための第二の折曲案内部が前記シート本体に設けられている。
【０００８】
また好ましくは、前記シート本体が、透液性の表面シートと吸収性の吸収シートと不透液性の裏面シートとが順に積層されてなる。
【発明の効果】
【０００９】
本発明によれば、第一の折曲案内部を設けたことにより、立ったり、座ったりする縦方向の日常の体の動きに追従してシート本体が規則性を持って折れ曲がるため装着性が向上する。  
また、小用時には、パンツの前部の上部を前方に折り曲げるといった通常の動作を行うことでシート本体はその動きに追従して前記第一の折曲案内部で折れ曲がるため、使い勝手が良い。  
更に、第二の折曲案内部を設けた場合には、腰を捻ったり、曲げたりする横方向の日常の体の動きにも追従できるようになり、上記装着性と使い勝手が一層向上する。
【図面の簡単な説明】
【００１０】
【図１】本発明に係る実施例１のシートを示した正面図である。
【図２】本発明に係る実施例１のシートの被覆シートが装着されていない状態（被覆シートを剥した状態）の背面図である。
【図３】本発明に係る実施例１のシートの被覆シートが装着された状態の背面図である。
【図４】本発明に係る実施例１のシートの積層構造を示す縦断面図である。
【図５】パンツの種類に対応したシートの貼付例を示す正面図である。
【図６】折曲案内部の形成態様を示す正面図である。
【図７】本発明に係る実施例１のシートの貼付手順を示す説明図である。
【図８】表面シートの色目官能評価試験に使用した色目サンプルと、その試験結果を示す説明図である。
【図９】本発明に係る実施例２のシートを示した正面図（ａ）と被覆シートを剥がした状態の背面図（ｂ）である。
【図１０】本発明に係る実施例２のシートが立体形状にされた状態を示す斜視図である。
【図１１】切れ込み部とフラップ片の形成態様を示す正面図である。
【実施例】
【００１１】
［基本構成］
以下、図１乃至図８に示す実施例１と、図９乃至図１１に示す実施例２に基づいて本発明に係るシート１の構成と、その作用、効果について説明する。  
最初に上記実施例１と実施例２を含む本発明に係るシート１に共通する基本構成について説明する。
【００１２】
図１中、シート１は、使用時に、男性用の下着としてのパンツＰの前部の内面に対して着脱可能に取り付けて残尿を吸収するためのシートである。シート１は、使い捨てタイプでもよい。シート１を構成するシート本体９は、図１に示すように、丸く加工された肩部１７や、シート１の下部に下方へ向かって幅が狭くなるようなテーパー部１９を備える略矩形でもよい。  
シート本体９の後述する把持部３１を除いた外形寸法は、一例として幅Ｗが約１０５ｍｍ、長さＨが約１２５ｍｍであり、パンツＰのサイズ等に応じて幅Ｗについては５０ｍｍ〜１５０ｍｍの範囲で、長さＨについては１００ｍｍ〜１８０ｍｍの範囲で調整することが可能である。
シート本体９は例えば、図４の断面図に示すように使用時に使用者の股部（男性器）に宛がわれる透液性を有する表面シート３と、表面シート３の前面から進入した残尿Ｕを吸収するための吸液性を有する吸収シート５と、吸収シート５が吸収した残尿ＵのパンツＰへの付着を防止するためにパンツＰの前部の内面に貼付される不透液性を有する裏面シート７とが順に積層されてなってもよい。
【００１３】
裏面シート７の裏面には、図２に示すように、シート本体９をパンツＰの前部の内面に貼付するための接着部１３が形成されている。接着部１３は例えば、粘着剤を塗布することによって形成される。図３に示すように、裏面シート７の裏面を覆うように、剥離性をする被覆シート１１が接着部１３に貼り付けられてもよい。  
【００１４】
表面シート３の材質としては、肌に柔らかく接触する柔軟性を有する材料が好ましく、天然繊維や合成繊維を使用した織物、編物、不織布やパルプ製品等を使用することができ、一例として本実施例ではレーヨンとポリエステルを混紡した合成繊維を使用している。また、表面シート３の構造としては、メッシュ状に構成したり、表面にエンボス加工等を施すことが可能であり、このような構造を採用した場合には残尿Ｕの通液性の向上と、肌に対する接触面積の減少による装着性の向上とが図られる。
【００１５】
また、吸収シート５の材質としては、吸液性に優れたコットンやパルプ等のセルロース系の天然繊維の表面をポリエチレン、ポリエステル、ポリプロピレン等の合成繊維で包皮した複合繊維が使用できる。尚、上記ポリエチレン、ポリエステル、ポリプロピレン等の合成繊維はヒートシール性に優れ、表面のベトベト感を防止するドライ性に優れた材料である。  
また、上記天然繊維と合成繊維の配合比率は、重量比で３：７〜７：３の割合で配合することができ、より肌触りや装着感を向上させたい場合には、４：６〜６：４の割合で上記天然素材と合成繊維を配合する。
【００１６】
また、裏面シート７の材質としては、一例として不透液性に優れたポリエチレン、ポリエステル、ポリビニルアルコール、ポリプロピレン、ナイロン、セロファン、ビニロン、塩化ビニル等の材料が使用でき、更にこれらの材料に対して炭酸カルシウム粉末等の無機物を混練した後に２軸延伸したものを使用すれば、ムレなどによる不快感を軽減させることができる。  
また、上記炭酸カルシウム等の無機物を使用しないで１軸延伸したものを使用することも可能であり、この場合には残尿ＵのパンツＰ側への流出を確実に防止することが可能になる。尚、以下の実施例では、装着時の違和感を低減し、必要な不透液性を確保するために裏面シート７の厚さを１０〜５０μｍの範囲に設定している。
【００１７】
また、接着部１３を形成する粘着剤としては、アクリル系水溶性接着剤等の水溶性の接着剤やゴム系ホットメルト、オレフィン系ホットメルト等の非水溶性接着剤が使用でき、好ましくはパンツＰに貼付した時にヨレやズレが生じない適度の接着力と、パンツＰの伸びを拘束しない適度な弾性を有するゴム系ホットメルト等の非水溶性接着剤が使用される。  
また、上記粘着剤の粘着強度を示すピール力としては８０〜５００ｇｆの範囲が実用的であり、好ましくはピール力が１００〜３００ｇｆの粘着剤を使用する。因みにピール力が８０ｇｆ未満になると、粘着強度が弱くなってシート本体９のヨレやズレあるいは脱落が生じ易くなり、一方、ピール力が５００ｇｆを超えると、パンツＰに糊残りを生じさせる。
【００１８】
また、被覆シート１１の材質としては、基材となる紙の一面にポリエチレン等によって形成される目止め層を介して溶剤型や無溶剤型のシリコーン樹脂等によって形成される剥離層を設けた剥離紙が一例として使用できる。  
次に、前述した実施例１と実施例２を例にとって、本発明に係るシート１の特徴的構成とその作用、効果について説明する。
【００１９】
［実施例１］
図１中、実施例１に係るシート１Ａは、装着感を向上させるためにシート本体９に適用した（１）折曲案内構造と、パンツＰに貼付する時の使い勝手を向上させるためにシート本体９の形状を工夫した（２）貼付案内構造と、上記装着感と使い勝手の向上の両方に貢献する（３）被覆シートの分割構造及び接着部の配置構造と、シート本体９の取り替え時や小用時の色目による抵抗感を減少させるための（４）表面シートの色目構造に特徴を有しており、以下、これら４つの構造に分けて実施例１に係るシート１Ａの構成とその作用、効果について説明する。
【００２０】
（１）折曲案内構造
図１中、シート本体９の幅方向である横軸方向Ｘに沿ってシート本体９を折曲させるための第一の折曲案内部２１と、シート本体９の長さ方向である縦軸方向Ｙに沿ってシート本体９を折曲させるための第二の折曲案内部２３と、が設けられている。尚、第一の折曲案内部２１による折曲方向は、横軸方向Ｘに正確に沿う方向（横軸方向Ｘと平行方向）に限られず、横軸方向Ｘから幾分傾斜した方向でもよい。同様に、第二の折曲案内部２３による折曲方向は、縦軸方向Ｙに正確に沿う方向（縦軸方向Ｙと平行方向）に限られず、縦軸方向Ｙから幾分傾斜した方向でもよい。
【００２１】
同図に示すように、第一の折曲案内部２１は、湾曲したＶ字形状にくびれた比較的大きなくびれ部２５Ａとしてシート本体９の両側部の中央部又はその近傍に形成されてもよい。また、第二の折曲案内部２３は、半円形状にくびれた比較的小さなくびれ部２５Ｂとしてシート本体９の下縁２７の中央部又はその近傍に形成されてもよい。
【００２２】
シート本体９を折り畳むような力が作用すると、第一の折曲案内部２１としてのくびれ部２５Ａの中心を結んだ横軸方向Ｘに沿う直線Ｌ１を折曲線として、シート本体９が折曲する。また、第二の折曲案内部２３としてのくびれ部２５Ｂと、シート本体９の上縁２９の中央部に設けられる把持部３１の両端部３１ａとを結んだ縦軸方向Ｙに概ね沿う２本の直線Ｌ２、Ｌ２を折曲線として、シート本体９が折曲する。
【００２３】
また、第一の折曲案内部２１と第二の折曲案内部２３は、図６（ａ）に示すシート本体９の両側部及び下部の所定箇所に設けられた所定長さのスリット３３や、図６（ｂ）に示す直線Ｌ１及びＬ２に沿ってのびる所定長さの溝部３５でもよい。  
更に、第一の折曲案内部２１と第二の折曲案内部２３は、図６（ｃ）に示すように、他の部位よりも折曲が容易になるようにミシン目状のスリットや硬度差あるいは厚さを薄くすること等によってシート本体９の所定箇所に構成される弱化構造３７でもよい。
【００２４】
このようにして構成される折曲案内構造を採用することにより、椅子に腰掛けたり立ったり、腰を曲げたり、捻ったりする日常の体の動きに追従してシート本体９が折曲するため、装着感が向上する。  
また、小用時にパンツＰの前部の上部を前方に曲げて降ろしたりする動作にも追従することから使い勝手の向上にも寄与する。また、第一の折曲案内部２１と第二の折曲案内部２３とからシート本体９の重心Ｇの概略の位置を把握できることから次に述べる貼付案内構造としても機能する。
【００２５】
（２）貼付案内構造
図１中、シート本体９の上縁２９の中央部に一例として円弧形状をした把持部３１が上方に突出するように形成されている。把持部３１の裏面シート７の裏面には接着部１３が設けられていないことが好ましい。  
シート本体９の上縁２９は、横軸方向Ｘと平行にのびる直線部３９Ａによって構成されている。直線部３９Ａは、シート本体９をパンツＰの前部の内面に貼付するとき、パンツＰの上部のゴム紐４１（図５参照）のラインと平行に配置されて、シート本体９のパンツＰに対する位置を決めるための位置決め部４３Ａとして機能する。勿論、位置決め部４３Ａをゴム紐４１のラインに沿わせたり、パンツＰのその他の部分に対する位置決め部４３Ａの相対位置を所定方法により決めることによって、シート本体９の位置決めをしてもよい。
【００２６】
更に、シート本体９の下縁２７にも横軸方向Ｘと平行にのびる直線部３９Ｂが形成されている。直線部３９Ｂは、シート本体９をパンツＰの前部の内面に貼付するとき、シート本体９の傾き等を補正する際の目印になる位置決め部４３Ｂとして機能する。尚、位置決め部４３としては、目印となるマーカーを付けたり、色を付ける等の他の構成を採ることも可能である。  
また、シート本体９の下部に形成されているテーパー部１９は、図５（ｂ）に示すブリーフタイプのパンツＰ２における股部の左右に設けられている足を出すための開口部４５、４５の傾斜に合わせた角度に構成されてもよい。
【００２７】
尚、男性が着用するパンツＰのタイプには、図５（ａ）に示すボクサータイプのパンツＰ１と、図５（ｂ）に示すブリーフタイプのパンツＰ２と、図５（ｃ）に示すトランクスタイプのパンツＰ３がある。ボクサータイプのパンツＰ１とブリーフタイプのパンツＰ２では、比較的密着性が確保できるため、着用時に男性器が上を向くことが多い。また、小用時にパンツＰ１、Ｐ２の上部を前方に折り曲げて使用する場合が多いことが想定される。したがって、図示のように上部エリアを広くカバーできるように把持部３１（上縁２９）を上方に配した状態でシート１をパンツＰ１、Ｐ２に貼付ことにより、シート１による残尿の吸収漏れを一層効果的に防止し得る。  
一方、図５（ｃ）に示すゆったりとしたトランクスタイプのパンツＰ３に対してシート本体９を貼付する場合には、パンツＰ３による密着性がそれほど期待できないため、着用時に男性器が下を向くことが多い。また、小用時にパンツＰ３の開口部４５、４５を使用することが想定される。したがって、同図に示すように下部エリアを広くカバーできるように、上述したパンツＰ１、Ｐ２の場合とは上下逆に、すなわち、把持部３１（上縁２９）を下方に配した状態でシート１をパンツＰ３に貼付することにより、シート１による残尿の吸収漏れをより一層効果的に防止し得る。
【００２８】
このようにして構成される貼付案内構造を採用した場合には、パンツＰを着用した状態でパンツＰの前部の内面にシート本体９を貼付するとき、接着部１３が形成されていない把持部３１を手で持って貼付できるため貼付時の使い勝手が向上する。また、把持部３１によってシート本体９がカバーできるエリアを拡大できるから残尿Ｕの漏れを少なくすることができる。  
また、シート本体９の上縁２９と下縁２７に設けた位置決め部４３Ａと４３Ｂによって、シート本体９の貼付位置と傾きの補正ができ、テーパー部１９を設けることでパンツＰの左右の開口部４５、４５からのシート本体９のはみ出しやシート本体９の下部コーナー部からの捲れによって生ずるシート本体９の位置ずれや脱落あるいはシート本体９のヨレやしわの発生を防止することができる。
【００２９】
（３）被覆シートの分割構造及び接着部の配置構造
図２に示すように、裏面シート７の裏面に形成される接着部１３は、複数段（例えば、左右に２列、上下に４段）に亘って規則的に配置されてもよい。縦軸方向又は横軸方向に隣接する接着部１３の間に、接着部１３の接着力よりも弱い接着力を有する、すなわち、粘着力を有しない又は弱められた接着力を有する非接着部１５が規則的に配置されてもよい。図３に示すように、被覆シート１１は、縦軸方向Ｙに沿って縦に二分割した二枚の被覆シート片４７、４７によって構成されている。
【００３０】
また、非接着部１５は、前述した第一の折曲案内部２１及び第二の折曲案内部２３（折曲線としての直線Ｌ１、Ｌ２）のうち少なくとも一方に対応する位置に設けられてもよい（図１参照）。図２に示すように、シート本体９の上部２段に配置されている接着部１３Ａと下部２段に配置されている接着部１３Ｂの寸法とは、シート本体９の形状に合うように同一形状でなくてもよい。尚、裏面シート７の周縁部と被覆シート１１を二分割する分割線の位置に対応する裏面シート７の部分に接着剤が塗布されていなくてもよい。
【００３１】
図２に示す実施例では、上部２段に配置されている接着部１３Ａの寸法を幅が３９ｍｍ、高さを約２３ｍｍに設定しており、下部２段に配置されている接着部１３Ｂの寸法を幅が約２５ｍｍ、高さを約２３ｍｍに設定している。上部２段に配置されている接着部１３Ａは、約１ｍｍの隙間Ｓを隔てて、上記接着部１３Ｂと同じ幅が約２５ｍｍ、高さが約２３ｍｍの接着部と、幅が約１４ｍｍ、高さが約２３ｍｍの接着部とから構成されている。接着部１３Ａは、一体の接着部として構成されてもよい。
【００３２】
左右２列の接着部１３の間には幅が約１３ｍｍの縦軸方向の非接着部１５Ａが形成されており、上下４段の接着部１３のそれぞれの間には高さが約６ｍｍの横軸方向の非接着部１５Ｂが形成されている。また、上述したように前記把持部３１が設けられている裏面シート７の裏面と、下部２段の接着部１３Ｂの外方の側部スペース及び裏面シート７の裏面の周縁部には非接着部１５が形成されている。  
尚、上記接着部１３Ａ、１３Ｂと非接着部１５Ａ、１５Ｂの寸法は、シート本体９の外形寸法や使用の目的等に対応して適宜、調整することが可能であり、接着部１３と非接着部１５の数も適宜、増減することが可能である。
【００３３】
このようにして構成される被覆シート１１の縦割り二分割構造と、接着部１３と非接着部１５の規則的な配置構造と、を採用した場合には、図７に示すように、シート本体９の上縁２９寄りの接着部１３Ａを仮止め用の接着部として使用し、接着部１３Ａを使用したシート本体９の仮止め後、パンツＰの左右の開口部４５、４５に手を入れて左右の被覆シート片４７、４７をそれぞれ斜め下方に引き抜くことが可能になり、貼付時の使い勝手が向上する。  
また、接着部１３と非接着部１５が規則的に配置されていることによってシート本体９の癖が一定になり、使用者の動きに対する追従性が更に向上する。また、非接着部１５は、前述した折曲案内部２１、２３としても機能する。
【００３４】
（４）表面シートの色目構造
本実施例では、外出先等で小用を足すときに、近くにいる人からシート１が貼付されていることを気付かれにくくするために表面シート３の色目構造が採用されている。表面シート３のうち少なくとも使用者側の表面の色目は、黒またはグレー色の無彩色である。表面シート３の色目は、上記無彩色と同等の明度を有する（例えば、無彩色に近い）有彩色でもよい。
【００３５】
具体的には、図８（ａ）に示す０番から１０番の１１段階のマンセル表色系のうち１０番の白を除く黒またはグレー色、好ましくは１番から６番までのグレー色の無彩色または同等の明度を有する（例えば、無彩色に近い）有彩色を使用する。  
このようにして構成される表面シート３の色目構造を採用した場合には、パンツＰの内部の影と同化してシート１を貼付していることが他人に気付かれにくくなる。また、白は生理用品やおむつ等に使用されている色と同じであり、使用する場合に抵抗感があるが、上記グレー色または無彩色と同等色であれば抵抗感が減って使用し易くなる。また、これらの色は、残尿Ｕによって出来た染みや汚れ、黄ばみ等を目立たなくする色であり、消臭効果のある炭をイメージさせる色であることもあって、シート１Ａの持つイメージを改善する効果を発揮する。
【００３６】
次に、上記表面シート３の色目構造を採用した場合の効果を確認するために実施した表面シート３の色目官能評価試験の内容と結果について説明する。  
この色目官能評価試験では、図８（ａ）に示すようにマンセル表色系の０番から１０番までの明度の違う１１色の無彩色（グレートーン）を各別に適用した表面シート３を有するシート１のサンプルを用意し、被験者としての成人男性が上記１１色の色目を適用したサンプルをパンツＰに実際に貼ってその色目を官能評価した。被験者はトランクスのパンツＰの使用者１０名とボクサータイプのパンツＰの使用者１０名から構成され、被験者が着用しているパンツをパンツＰとしてそのまま使用した。被験者が「使いたいレベル」、「目立ちにくいレベル」としてそれぞれ選択したマンセル表色系の上限値及び下限値の平均値を四捨五入して、評価結果とした。
【００３７】
上記試験の結果は図８（ｂ）に示すように、マンセル表色系の０番から８番までの無彩色からなる色目構造を有するパンツＰを「使いたい」と評価し、同１番から６番までの無彩色からなる色目構造を有するパンツＰを「目立ちにくい」と評価した。尚、同図中、「使いたい」とは、使用者にとって使っても良い色目の許容範囲（好ましい範囲）にあることを示し、「目立ちにくい」とは、上述した使いたいものの中で使用者がさらに目立ちにくいと感じたもの（より好ましい範囲）であることを示す。
【００３８】
［使用方法］
次に、図５及び図７を参照しながら本実施例１に係るシート１Ａの貼付手順を説明する。  
着用する前のパンツＰにシート１Ａを貼る場合には、裏面シート７の裏面の被覆シート１１を剥がしてパンツＰの前部の内面にシート本体９を貼り付ける。このとき、使用者は、シート本体９の上縁２９と下縁２７に設けられている直線部３９によって構成されている位置決め部４３Ａと４３Ｂを利用して図５に示すように位置と角度を確認しながら所定の位置にシート本体９を貼り付けることができる。  
また、上述したように、着用するパンツＰの種類に応じて適宜上下の向きを変えてシート本体９を貼り付けることができる（図５参照）。
【００３９】
パンツＰを着用した状態でパンツＰにシート１Ａを貼る場合には、図７（ａ）に示すように上部１段目の接着部１３を被覆している被覆シート１１の上縁部を前方に捲って剥がし、図７（ｂ）に示すように一方の手でパンツＰの前部を前方に押し広げる。把持部３１を他方の手で持ち、シート１ＡをパンツＰの中に入れ、位置決め部４３Ａ、４３Ｂとしてのシート本体９の上縁２９乃至下縁２７の直線部３９をパンツＰのゴム紐４１のラインと平行に配置しシート１ＡのパンツＰに対する位置決めをする。勿論、直線部３９をゴム紐４１のラインに沿わせたり、パンツＰのその他の部分に対する直線部３９（位置決め部４３Ａ、４３Ｂ）の相対位置を所定方法により決めることによって、シート１Ａの位置決めをしてもよい。
【００４０】
続いて、図７（ｃ）に示すように片手でパンツＰの前部の外面の上部を押さえてシート本体９を仮止めし、もう一方の手でパンツＰの左右の開口部４５、４５に手を入れて前述したように左右の被覆シート片４７、４７をそれぞれ斜め下方に引き抜いた後、パンツＰの前部の外面からシート本体９の貼付部位全体を押さえる。このようにして、パンツＰを着用した状態でもシート１Ａの貼り付けを円滑に行うことができる。
【００４１】
［実施例２］
実施例２に係るシート１Ｂは、基本的に前述した実施例１に係るシート１Ａの構成をすべて備えており、更に本実施例特有の構成として追従性に優れた立体化構造を採用している。  
したがって、実施例１と共通する構成については説明を省略し、本実施例特有の立体化構造を中心に説明する。尚、実施例２に係るシート１Ｂの実施例１と共通する構成については、実施例１と同じ符号を使用する。
【００４２】
（５）立体化構造
図９中、前述したシート本体９に対して下縁２７の中央に、上述した実施例１のくびれ部２５Ｂに代えて図９に示すように縦軸方向Ｙに沿ってのびる切れ込み部４９が形成されている。  
この切れ込み部４９は、パンツＰの前部の内面にシート本体９を貼付するとき、図１０に示すように切れ込み部４９の左右両側に形成されるフラップ片５１、５１を後方に湾曲させて重ね合わせることによって、下方に流れた残尿Ｕを捕捉する空間Ａを有する立体形状の簡易容器５３として機能するように作用する。
【００４３】
尚、この立体化構造は、シート本体９の上記切れ込み部４９の左右のフラップ片５１、５１を後方に湾曲させて重ね合わせることによって生ずるフラップ片５１の剛性と、パンツＰ内でのパンツＰとその外側に履くズボン等による着圧によって維持されており、使用者の体の動きに追従して上記左右のフラップ片５１、５１の重ね合わせ量が変化する構造になっている。  
このような機能を発揮させるためには、以下詳述するように上記切れ込み部４９の形状や長さを所定の形状乃至長さに設定することが好ましい。
【００４４】
切れ込み部４９は、逆Ｖ字状の切欠き５５によって形成される。切欠き５５のシート本体９の下縁２７からの縦軸方向Ｙの長さＢは、シート本体９の把持部３１を除いた縦軸方向Ｙの長さＨの４０％以下であってもよく、より好ましくは３０％以下であってもよい。切欠き５５の下端部の最大幅Ｄは、シート本体９の下縁２７の横軸方向Ｘの長さＥの５０％以下であってもよく、より好ましくは３０％以下であってもよい。
【００４５】
左右両側のフラップ片５１、５１は、図示のように下向きに細くなるようなテーパー形状であり、シート本体９の幅寸法Ｗよりもシート本体９の下縁２７の横軸方向Ｘの長さＥが小さくなってもよい。左右のフラップ片５１、５１の上述したテーパー形状の起点Ｃの位置は、切欠き５５の先端部５５ａの位置よりも高い位置に設けられてもよい。フラップ片５１、５１の裏面シート７の裏面のうち切欠き５５の先端部５５ａより下方の部分は、図９（ｂ）に示すように接着部１３が形成されず、非接着部１５のみにより構成されてもよい。
【００４６】
また、本実施例のように横軸方向Ｘに延びる第一の折曲案内部２１を設ける場合には、第一の折曲案内部２１によって形成される折曲線となる直線Ｌ１よりも切欠き５５の先端部５５ａの位置は下方に配設されて、第一の折曲案内部２１による折曲案内構造の機能を損わないように構成してもよい。  
尚、上記切れ込み部４９とフラップ片５１の形成態様は、図９、１０に示す形成態様に限られない。例えば、図１１（ａ）に示すように切れ込み部４９が単なるスリット５７によって形成されたり、図１１（ｂ）に示すように最大幅Ｄの小さな逆Ｕ字状の細溝部５９によって形成されてもよい。
【００４７】
また、図１１（ｃ）に示すようにシート本体９の上下を逆にして把持部３１の中央に切れ込み部４９が形成されて、把持部３１を含むシート本体９の上部（図１１（ｃ）では下方に位置している）をフラップ片５１として使用することが可能である。  
更に、フラップ片５１の立体化構造に向けての自由な動きを拘束しない範囲で図１１（ｄ）に示すようにシート本体９の下部の裏面シート７における裏面の左右の縁部に接着部１３Ｃが形成されてもよい。この場合、接着部１３Ｃの接着力が他の接着部１３の接着力よりも弱くされることが好ましい。
【００４８】
実施例２に係るシート１ＢをパンツＰの前部の内面に貼付する場合、上述したフラップ片５１の重ね合わせによる立体化プロセスが追加されるが、その他の手順は、前述した実施例１と同様である。着用前のパンツＰに対して上述したフラップ片５１の重ね合わせを実施しても着用後に立体化構造を維持できないから、立体化プロセスについては、着用後に実施することになる。
【００４９】
また、このようにして構成される立体化構造を採用した場合には、残尿Ｕの下方への漏れが心配になるトランクスタイプのパンツＰ３に対しても、シート本体９の一部に切れ込み部４９を形成するだけの簡単な構成によって左右のフラップ片５１、５１を重ね合わせることで簡易容器５３を形成して簡易容器５３内の空間Ａによって下方への残尿Ｕの漏れを防止することが可能になる。  
また、簡易容器５３は、上述したように左右のフラップ片５１、５１を重ね合わせることによって生じるフラップ片５１、５１の剛性とパンツＰ内でのパンツＰとその外側に履くズボン等による着圧によってその立体形状が維持されているから、使用者の体の動きを拘束することなく、使用者の体の動きに追従してフラップ片５１、５１の重ね合わせ量を変えながら残尿Ｕを捕捉することになる。
尚、切れ込み部４９は、シート本体９の下部の複数箇所（例えば、シート本体９の下縁２７をその長さ方向に概ね３分割するように２カ所）に形成されてもよい。
【００５０】
［他の実施例］
以上が、本発明の基本的な実施例であるが、本発明のシート１は、上述した実施例に限定されるものではなく、本発明の要旨を逸脱しない範囲内の部分的構成の変更や省略、あるいは当業者において周知、慣用の技術を追加することが可能である。  
例えば、前記（１）〜（５）に示す特徴的構成は、これらを個別に適用することも可能であるし、これらの一部を組み合わせて適用したり、これらのすべてを組み合わせて適用することが可能である。
【００５１】
また、前記（２）の貼付案内構造で採用した把持部３１の形状は、円弧形状に限らず、長方形状、台形状、三角形状等、種々の形状が適用可能である。また、シート１を上下逆にして使用する場合の把持部３１としての機能をシート本体９の下縁２７の近傍領域に持たせるために下縁２７からその近傍領域を非接着部１５としたり、把持部３１として手で掴み易い形状に変更することが可能である。  
この他、前記（５）の立体化構造で採用した切れ込み部４９をシート本体９の上縁２９側と下縁２７側の両方に設けてシート本体９の貼付する向きによって、何れかの切れ込み部４９を選択して使用するようにすることも可能である。また、シート本体９の上縁２９側と下縁２７側の両方に切れ込み部４９を設けるとシート本体９に必要な強度が保てない場合には、これらの切れ込み部４９をミシン目等の弱化構造によって形成しておいて、使用時に当該弱化構造が適用された何れかの部分を切り取って切り取った部位を切れ込み部４９として使用することも可能である。
尚、本発明の技術的思想が女性用シートに応用できることはいうまでもない。
【符号の説明】
【００５２】
１  シート
３  表面シート
５  吸収シート
７  裏面シート
９  シート本体
１１  被覆シート
１３  接着部
１５  非接着部
１７  肩部
１９  テーパー部
２１  第一の折曲案内部
２３  第二の折曲案内部
２５  くびれ部
２７  下縁
２９  上縁
３１  把持部
３３  スリット
３５  溝部
３７  弱化構造
３９  直線部
４１  ゴム紐
４３  位置決め部
４５  開口部
４７  被覆シート片
４９  切れ込み部
５１  フラップ片
５３  簡易容器
５５  切欠き
５５ａ  先端部
５７  スリット
５９  細溝部
Ｐ  パンツ
Ｘ  横軸方向
Ｙ  縦軸方向
Ｇ  重心
Ｕ  残尿
Ｌ  直線
Ｓ  隙間
Ａ  空間
Ｂ  長さ
Ｃ  テーパー起点
Ｄ  最大幅
Ｈ  長さ
Ｅ  長さ
Ｗ  幅寸法
【図１】
0005944691.tif 000002
【図２】
0005944691.tif 000003
【図３】
0005944691.tif 000004
【図４】
0005944691.tif 000005
【図５】
0005944691.tif 000006
【図６】
0005944691.tif 000007
【図７】
0005944691.tif 000008
【図８】
0005944691.tif 000009
【図９】
0005944691.tif 000010
【図１０】
0005944691.tif 000011
【図１１】
0005944691.tif 000012